【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
画像形成に関わるイベントを検出する検出手段と、
作業の区切り毎に分割された複数の動画を記憶する記憶手段と、
前記記憶手段に記憶された少なくとも一つの動画を再生する再生手段と、
前記検出手段により検出されたイベントに基づいて、前記記憶手段に記憶された複数の動画のうち、該イベントに対応するための複数の動画を連続して再生する第１再生パターンで再生するか、前記複数の動画の再生途中で一時停止する第２再生パターンで再生するか、を制御する制御手段と、
を有することを特徴とする画像形成装置。
【請求項２】
前記第１再生パターンは、前記検出手段により検出されたイベントに対応するための複数の動画のうちの１つの動画の再生が終了する毎に一時停止し、ユーザによる再生指示を受けてから次の動画の再生に進む再生パターンであり、前記第２再生パターンは、前記検出手段により検出されたイベントに対応するための複数の動画のうちの１つの動画の再生が終了する毎に一時停止せずに次の動画の再生に進む再生パターンであることを特徴とする、請求項１記載の画像形成装置。
【請求項３】
前記イベントは、障害の発生であり、
前記検出手段は、前記障害の発生及びその障害の種類を検出し、
前記制御手段は、前記検出手段で検出された障害の種類に基づいて、前記第１再生パターンで動画を再生するか、前記第２再生パターンで動画を再生するかを制御することを特徴とする、請求項１又は２に記載の画像形成装置。
【請求項４】
前記制御手段は、前記第１再生パターンで動画を再生中、又は、前記第２再生パターンにおける動画の再生指示に代えて、再生中止の指示を受け付けたときは、残りの動画再生を中止することを特徴とする、請求項１から３のいずれか１項に記載の画像形成装置。
【請求項５】
前記制御手段は、前記第１再生画パターンによる動画の再生開始後に第２再生パターンへの切替え指示を受け付けたときは、当該第１再生パターンで未だ再生されていない動画を、第２再生パターンでの再生に切替可能であることを特徴とする、請求項１から４のいずれか１項に記載の画像形成装置。
【請求項６】
前記制御手段は、前記検出手段により検出されたイベントがジャムの発生の場合、前記第１再生パターンで動画を再生し、前記検出手段により検出されたイベントがトナーボトル交換の場合、前記第２再生パターンで動画を再生するよう制御することを特徴とする、
請求項１から５のいずれか１項に記載の画像形成装置。
【請求項７】
前記検出手段により検出されたイベントが、２本以上のトナーボトルの交換の場合、前記制御手段は、１本目のトナーボトルの交換手順を示す複数の動画を再生する際は前記第１再生パターンで動画を再生し、２本目以降のトナーボトルの交換手順を示す複数の動画を再生する際は前記第２再生パターンで動画を再生するよう制御することを特徴とする、請求項１から６のいずれか１項に記載の画像形成装置。
【請求項８】
原稿上の画像を読み取って画像データを生成する読み取り手段を有することを特徴とする、請求項１から７のいずれか１項に記載の画像形成装置。
【請求項９】
画像データに基づいて用紙に画像を印刷する印刷手段を有することを特徴とする、請求項１から８のいずれか１項に記載の画像形成装置。
【請求項１０】
作業の区切り毎に分割された複数の動画を記憶する記憶手段を有する画像形成装置における制御方法であって、
画像形成に関わるイベントを検出する検出工程と、
前記記憶手段に記憶された少なくとも一つの動画を再生する再生工程と、
前記検出工程において検出されたイベントに基づいて、前記記憶手段に記憶された複数の動画のうち、該イベントに対応するための複数の動画を連続して再生する第１再生パターンで再生するか、前記複数の動画の再生途中で一時停止する第２再生パターンで再生するか、を制御する制御工程と、
を有することを特徴とする画像形成装置の制御方法。
【請求項１１】
コンピュータを、請求項１から９のいずれか１項に記載の画像形成装置として動作させるためのプログラム。
【手続補正２】
【補正対象書類名】明細書
【補正対象項目名】発明の名称
【補正方法】変更
【補正の内容】
【発明の名称】画像形成装置及びその制御方法、プログラム
【手続補正３】
【補正対象書類名】明細書
【補正対象項目名】０００６
【補正方法】変更
【補正の内容】
【０００６】
本発明の画像形成装置は、画像形成に関わるイベントを検出する検出手段と、作業の区切り毎に分割された複数の動画を記憶する記憶手段と、前記記憶手段に記憶された少なくとも一つの動画を再生する再生手段と、前記検出手段により検出されたイベントに基づいて、前記記憶手段に記憶された複数の動画のうち、該イベントに対応するための複数の動画を連続して再生する第１再生パターンで再生するか、前記複数の動画の再生途中で一時停止する第２再生パターンで再生するか、を制御する制御手段とを有することを特徴とする。
【手続補正４】
【補正対象書類名】明細書
【補正対象項目名】０００７
【補正方法】変更
【補正の内容】
【０００７】
本発明によれば、あるイベントに対応する動画の再生は、作業の区切り毎に一時停止する。また、別のイベントに対応する動画の再生は、連続する。これにより、作業内容に応じて動画の再生パターンを選択することができるので、作業手順のガイダンスを行う際のユーザの操作性の向上を高めることができる。
【手続補正５】
【補正対象書類名】明細書
【補正対象項目名】００１１
【補正方法】変更
【補正の内容】
【００１１】
センサ群１８０は、リーダ部１３９の原稿の搬送路の要所毎に設けられた複数のセンサであり、画像形成に関わるイベントを検出する。例えば搬送路における状態変化、本実施形態では、搬送路における原稿の有無、ジャムの発生、その発生部位を検知する。検知結果は、制御装置１６０において原稿の搬送タイミングを制御する際に使用される。また、制御装置１６０にジャムの発生及びその発生部位を知らせるために使用される。
【手続補正６】
【補正対象書類名】明細書
【補正対象項目名】００１３
【補正方法】変更
【補正の内容】
【００１３】
センサ群１５０は、プリンタ部１４９の記録紙の搬送路の要所毎に設けられた複数のセンサであり、画像形成に関わる他のイベントを検出する。例えば搬送路における状態変化、本実施形態では、搬送路における印刷前の記録紙又は印刷後の記録紙の有無、ジャムの発生、その発生部位を検知する。検知結果は、制御装置１６０において記録紙の搬送タイミングを制御する際に使用される。また、制御装置１６０にジャムの発生及びその発生部位を知らせるために使用される。
【手続補正７】
【補正対象書類名】明細書
【補正対象項目名】００２１
【補正方法】変更
【補正の内容】
【００２１】
本実施形態では、動画については、それが再生され、表示されるときに、２種類のパターン、すなわち、作業の区切り毎に一時停止して再生指示を待つ動画再生パターンと、連続再生される動画再生パターンとすることができるように記憶した。便宜上、後者のパターンを第１再生パターン、前者のパターンを第２再生パターンと称する場合がある。
【手続補正８】
【補正対象書類名】明細書
【補正対象項目名】００２７
【補正方法】変更
【補正の内容】
【００２７】
［画像形成装置の動作］
次に、上記のように構成される画像形成装置１００の動作を説明する。本実施形態の画像形成装置１００は、画像形成に関わるイベントの一例として、デバイスにおける状態変化が発生した（検知ないし検出された）ときに、それに対応してユーザが行うべき作業内容が何かをガイドするガイダンス機能を実現する。画像形成装置１００は、また、画像形成に関わる他のイベントとして、障害の一例となるジャムが発生したときに、ジャムを解除するための作業内容がどのようなものかをガイドするガイダンス機能も有する。これらのガイダンス機能は、制御装置１６０が、操作部１７０の操作パネル（表示画面）に、解除支援のためのメンテナンス画面を表示させる機能である。このガイダンス機能は、制御装置１６０のＣＰＵ２０１が、ＲＯＭ２０３に記憶された制御プログラム及びＨＤＤ２０４に保持されているガイダンス用プログラムを実行することにより、実現される。
【手続補正９】
【補正対象書類名】明細書
【補正対象項目名】００３６
【補正方法】変更
【補正の内容】
【００３６】
Ｓ５０１において、トナーボトル交換リクエストを検知しない場合、制御装置１６０は、ジャム発生を検知したかどうかを判定する（Ｓ５０１：No、Ｓ５０６）。ジャム発生を検知していない場合はＳ５０１に戻る（Ｓ５０６：No）。
ジャム発生を検知した場合、制御装置１６０は、Ｓ５０２と同様、メンテ動画画面を表示させる（Ｓ５０６：Ｙｅｓ、Ｓ５０７）。そして、制御装置１６０は、動画の再生パターンとして、第２再生パターン（一時停止再生）を選択し、図４（Ａ）〜図４（Ｈ）のメンテ動画画面に表示される動画を再生する（Ｓ５０８）。
【手続補正１０】
【補正対象書類名】明細書
【補正対象項目名】００３８
【補正方法】変更
【補正の内容】
【００３８】
なお、図３（Ａ）〜図３（Ｇ）における動画の再生中、図４（Ａ）〜図４（Ｈ）のメンテ動画画面に表示される動画の一時停止再生の際に、再生指示に代えて、再生中止の指示、例えば「閉じる」ボタンの操作を受け付けることができる。これにより、いつでも、動画再生を中止することができる。また、図示を省略したが、一時停止再生の過程で、「パターン切替」ボタンが操作されることにより、当該第２再生パターンの残りの動画を連続再生の第１再生パターンに切替可能に構成しても良い。
【手続補正１１】
【補正対象書類名】明細書
【補正対象項目名】００４２
【補正方法】変更
【補正の内容】
【００４２】
なお、本実施形態では、デバイスの状態変化に対応する作業の種別で再生パターンを切り替える例を説明したが、デバイスの種類又はその構成によって、動画の再生パターンを切り替える構成も本実施形態の範疇に含まれる。デバイスの種類とは、例えばデバイスが画像形成装置１００の本体か、画像形成後の後処理装置であるフィニッシャであるかというものである。例えば後者の場合は、必ず一時停止後の再生を行うように定めることができる。また、デバイスの構成とは、本体とフィニッシャだけの構成の場合と、本体とインサータと折り機、外付けフィニッシャの構成では、再生パターンを第１再生パターンと第２再生パターンのいずれか一方のパターンに切り替えるというものである。
このように、デバイスの種類又はその構成によって動画の再生パターンを切り替える場合は、ＨＤＤ２０４に各デバイスに対応して行うべき作業内容をメンテナンス情報として記憶しておく必要がある。
【手続補正１２】
【補正対象書類名】明細書
【補正対象項目名】００４６
【補正方法】変更
【補正の内容】
【００４６】
その後、制御装置１６０は、トナーボトル交換本数が２本未満かどうかを判定する（Ｓ８０３）。２本未満、つまり１本であれば、動画の再生パターンとして、第１再生パターン（連続再生）を選択する（Ｓ８０３：Yes、Ｓ８０４）。２本未満でない場合（Ｓ８０３：No）、制御装置１６０は、動画の再生パターンとして第２再生パターン（一時停止再生）を選択する。そして、２本目のボトル交換の動画を再生する前に、図３（Ｆ）のメンテ動画画面、つまり、トナーカバーのクローズを行う動画の再生を終了した時点で、一時停止する。その後、ユーザの再生指示を契機に、２本目の交換作業を表す動画の再生を開始する。ちなみに、２本目の交換作業の内容を表すメンテ動画画面は図３（Ａ）〜図３（Ｆ）で示した通りであるため、説明を割愛する。また、Ｓ８０５の処理はＳ５０５と同じ、Ｓ８０６の処理はＳ５０５と同じであるため、説明を割愛する。
【手続補正１３】
【補正対象書類名】明細書
【補正対象項目名】００４８
【補正方法】変更
【補正の内容】
【００４８】
このように、本実施形態の画像形成装置１００は、ユーザが作業すべき内容に応じて、動画の再生が作業の区切り毎に一時停止する。また、別の作業内容では、動画の再生が連続する。これにより、作業内容に応じて動画の再生パターンを選択することができるので、作業手順のガイダンスを行う際のユーザの操作性の向上を高めることができる。例えば、あまり時間のかからない作業の場合は、動画を連続再生させることで、ユーザへの見やすさとしての操作性を実現することができる。他方、画像形成装置１００のドアーや内部のデバイスを引き出す必要のある作業の場合は、一時停止させながら動画を再生させることで、ユーザへの負担を考慮した操作性を実現することができる。